(57)【要約】【課題】ファンの冷却性能を高め、かつ騒音を極力抑えることができ、装置コストの削減に寄与することができる電子機器を提供する。【解決手段】サーバ装置２の機器ケース１０の外側から内側へ冷却風を送風するファン２０を機器ケース１０の背面１０ｂに取り付ける。ファン２０からの冷却風が各引出し１１ａ〜１１ｄのサーバユニット３２に供給されるように、引出し１１ａ〜１１ｄの側板３３および後板３３に切欠き４０を設ける。１台のファン２０で全てのサーバユニット３２を冷却することができる。口径の大きいファンを使用するので、ファンの駆動による騒音を抑えることができる。【選択図】        図４
2005005349.tif 000002
【特許請求の範囲】
【請求項１】
前面が開口した箱形で、内部にガイド部材が複数段設けられた機器ケースと、各ガイド部材に案内されて前面側から機器ケース内に出し入れされる複数の引出しと、各引出しの底板上に取り付けられた回路ユニットとを備えた電子機器において、
前記機器ケースの外側から内側へ冷却風を送風するファンを前記機器ケースに取り付けるとともに、
前記ファンからの冷却風が各引出しの回路ユニットに供給されるように、前記引出しの前記底板を囲む部分のうち、少なくとも前記ファンに対面する部分に切欠きを設けたことを特徴とする電子機器。
【請求項２】
前記回路ユニットは、サーバユニットであることを特徴とする請求項１に記載の電子機器。
【請求項３】
前記引出しの前板を除いて、一対の側板および後板に切欠きを設けたことを特徴とする請求項１または２に記載の電子機器。
【請求項４】
前記ファンは、前記機器ケースの背面または側面に取り付けられていることを特徴とする請求項１ないし３いずれか記載の電子機器。
【請求項５】
前記ファンの口径をφ、前記ファンが取り付けられる面の短辺の長さをＬとしたとき、
Ｌ／２≦φ＜Ｌ
としたことを特徴とする請求項１ないし４のいずれか記載の電子機器。
【発明の詳細な説明】
【０００１】
【発明の属する技術分野】
本発明は、複数の回路ユニットを引出し可能に収納した電子機器に関し、さらに詳しくは、各回路ユニットを冷却するファンを備えた電子機器に関する。
【０００２】
【従来の技術】
電子機器の多くは、ラック式の収納装置を用いている。この収納装置は、前面が開口した箱形の機器ケースと、この機器ケースの前面から出し入れ自在で、回路ユニットが搭載された複数段の引出しとから構成されている。このような電子機器としては、例えば、ネットワークで接続された複数の端末に対して、各種サービスを提供するサーバ装置がある。このサーバ装置には、端末を利用するユーザーがネットワーク上のファイルを共有して使えるようにするファイルサーバや、ネットワーク上のプリンタを管理するプリントサーバ、メールの送受信を行うメールサーバなどがユニット化され、サーバユニットとして引出しに搭載されている。
【０００３】
このサーバユニットには、演算処理装置（ＣＰＵ）や記憶装置、Ｉ／Ｏポート、電源装置などの電子部品が高密度で実装されているので、連続使用により非常に高温となる。このため、従来のサーバ装置では、各引出し毎にファンを取り付け、これにより装置内の冷却を行っていた（特許文献１〜３参照）。
【０００４】
【特許文献１】
特開２００２−３６６２５８号公報
【特許文献２】
特開２００３−６１２１６号公報
【特許文献３】
特開２００３−９９１５８号公報
【０００５】
【発明が解決しようとする課題】
特許文献１〜３に記載されるサーバ装置では、引出しが通気性の悪い密閉型の箱から形成されており、各ファンが引出しの後板または側板に取り付けられるので、ファンの大きさに制約を受け、口径の大きいものを使用することができない。このため、冷却性能に劣り、各サーバユニットを冷却するのに充分な風量を得ることができなかった。したがって、従来のサーバ装置では、風量を稼ぐために複数台のファンを用いる必要があり、装置コストの増大を招いていた。
【０００６】
また、小型で回転数の高いファンを複数台用いているため、羽根が風を切る音が無視できないほど大きくなるので、騒音を防止するためにパーテーションや防音壁で仕切られた専用のスペースをサーバ装置の設置場所として確保しなければならなかった。
【０００７】
本発明は、ファンの冷却性能を高め、かつ騒音を極力抑えることができる電子機器を提供することを目的とする。
【０００８】
また、本発明は、装置コストの削減に寄与することができる電子機器を提供することを目的とする。
【０００９】
【課題を解決するための手段】
上記目的を達成するために、本発明は、前面が開口した箱形で、内部にガイド部材が複数段設けられた機器ケースと、各ガイド部材に案内されて前面側から機器ケース内に出し入れされる複数の引出しと、各引出しの底板上に取り付けられた回路ユニットとを備えた電子機器において、前記機器ケースの外側から内側へ冷却風を送風するファンを前記機器ケースに取り付けるとともに、前記ファンからの冷却風が各引出しの回路ユニットに供給されるように、前記引出しの前記底板を囲む部分のうち、少なくとも前記ファンに対面する部分に切欠きを設けたことを特徴とする。
【００１０】
なお、前記回路ユニットは、サーバユニットであることが好ましい。また、前記引出しの前板を除いて、一対の側板および後板に切欠きを設けることが好ましく、前記ファンは、前記機器ケースの背面または側面に取り付けられていることが好ましい。さらに、前記ファンの口径をφ、前記ファンが取り付けられる面の短辺の長さをＬとしたとき、Ｌ／２≦φ＜Ｌとすることが好ましい。
【００１１】
【発明の実施の形態】
図１において、本発明を適用したサーバ装置２は、アルミ製の機器ケース１０と、同じくアルミ製の引出し１１ａ〜１１ｄとから構成される。図２にも示すように、機器ケース１０は、前面１０ａおよび背面１０ｂに開口１０ｃ、１０ｄ（図３参照）が形成された箱形をしており、図１に示す前面カバー１２、および図３に示す背面カバー２１がビスなどで取り付けられる。なお、機器ケース１０および引出し１１ａ〜１１ｄの材質としては、アルミに限定されず、例えば鉄製であってもよい。
【００１２】
前面カバー１２には、ファン２０（図２および図３参照）から送られる冷却風を、機器ケース１０の外側に排出する通気孔１３が形成されている。また、引出し１１ａの上部には、ハブ１４が設置されている。サーバ装置２は、このハブ１４を介して、ネットワーク接続された複数の端末に対して各種サービスを提供する。
【００１３】
図２において、機器ケース１０の左右内壁面には、引出し１１ａ〜１１ｄを収納するためのＬ字型レール１５が合計８本、４段分取り付けられている。また、上部内壁面には、ハブ１４を保持するための保持台１６が取り付けられており、さらに背面１０ｂには、ファン２０を設置するための３本の取り付け板１７が取り付けられている。レール１５は、各引出し１１ａ〜１１ｄが前面１０ａ側から機器ケース１０内に出し入れされる際のガイド部材として機能し、各引出し１１ａ〜１１ｄが互いに密接して収納されるように形成されている。このようにすると、サーバ装置２をコンパクトにすることができ、後述するファン２０による冷却を効率良く行うことができる。
【００１４】
図３に示すように、機器ケース１０の背面１０ｂには、ファン２０および背面カバー２１が取り付けられる。ファン２０は、背面カバー２１側にその正面を向けられ、取り付け板１７にビスなどで固定される。ファン２０は、サーバユニット３２（図４参照）の作動とともに運転を開始し、背面カバー２１に形成された通気孔２２から外気を導入する。なお、前面カバー１２および背面カバー２１だけでなく、機器ケース１０の側面に通気孔を形成してもよい。
【００１５】
ここで、図２に示すように、ファンの口径をφ、ファンが取り付けられる面（この場合は機器ケース１０の背面１０ｂ）の短辺の長さをＬとして、
Ｌ／２≦φ＜Ｌ
となるようにファン２０を選択することが好ましく、例えば日立ホーム＆ライフソリューション株式会社製の一般形換気扇（型式ＵＬ−３０Ａ、φ＝３０ｃｍ）が用いられる。
【００１６】
図４に示すように、引出し１１ａには、演算処理装置が実装された回路基板３０やハードディスクドライブ３１からなるサーバユニット３２が搭載されている。各引出し１１ａ〜１１ｄのサーバユニット３２は、ハブ１４により互いに接続されている。このサーバユニット３２は、端末を利用するユーザーがネットワーク上のファイルを共有して使えるようにするファイルサーバや、ネットワーク上のプリンタを管理するプリントサーバ、メールの送受信を行うメールサーバなどからなり、各機能毎に個別に動作する。なお、サーバユニット３２としては、同一の機能を有するサーバが搭載され、互いに連動して動作するものでもよい。
【００１７】
引出し１１ａは、一対の側板３３および後板３４と、サーバユニット３２が取り付けられた底板３５と、電源ボタン３６や表示灯３７、各種コネクタを外部に露呈するためのコネクタ挿入口３８などが形成された前板３９とから構成される。引出し１１ａ〜１１ｄは、レール１５に側板３３および底板３５の一部が支持され、機器ケース１０の前面１０ａ側から出し入れ自在となっている。
【００１８】
側板３３および後板３４には、切欠き４０が設けられている。この切欠き４０により、ファン２０からの冷却風がサーバユニット３２に直接供給される。なお、引出し１１ｂ〜１１ｃも、引出し１１ａと同様の構成を有している。
【００１９】
サーバ装置２に電源が供給され、各引出し１１ａ〜１１ｄの電源ボタン３６が押圧操作されると、サーバユニット３２が作動するとともに、ファン２０が運転を開始する。これにより、背面カバー２１の通気孔２２から機器ケース１０内に外気が導入され、各引出し１１ａ〜１１ｄのサーバユニット３２に冷却風が供給される。供給された冷却風は、サーバユニット３２と熱交換を行い、サーバユニット３２で発生した熱を冷却する。サーバユニット３２の冷却後、冷却風は前面カバー１２の通気孔１３を介して機器ケース１０の外側に排出される。
【００２０】
引出し１１ａ〜１１ｄの側板３３および後板３４に切欠き４０が設けられているので、通気性が良く、かつメンテナンス時の作業性を向上させることができる。また、レール１５により各引出し１１ａ〜１１ｄが互いに密接して収納されているので、１台のファン２０で全てのサーバユニット３２を冷却することができ、ファン２０の冷却能力を最大限に活用することができる。さらに、口径の大きいファンを使用するので、充分な冷却効果を発揮する。このため、ファンの駆動による騒音を気にならない程度まで抑えることができ、従来のサーバ装置のように専用のスペースを設置場所として確保する必要がなく、ファクシミリやコピー機など他のＯＡ機器と並べて設置することが可能となる。
【００２１】
なお、引出し１１ａに切欠き４０を設ける箇所としては、前板３９を除いて、少なくともファン２０に対向する部分（上記実施形態では後板３４）に設ければよく、特に限定されるものではない。また、図５に示すように、側板３３および後板３４を無くし、底板３５および前板３９のみで構成した引出し５０についても、本発明は有効である。このような構成であると、装置コストをさらに削減させることができる。
【００２２】
上記実施形態では、図２および図３に示すように、機器ケース１０の背面１０ｂにファン２０を取り付けた例を挙げて説明したが、ファンの取り付け位置は特に制限されず、例えば図６に示すように、機器ケース６１の側面６１ｅにファン６３を取り付け、発熱しやすい電源部分が集中して実装されるサーバユニット３２の箇所を重点的に冷却するようにしてもよい。この場合、ファン６３は、側面カバー６４に形成された通気孔６５から外気を導入する。上記実施形態と同様に、ファン６３により導入された冷却風は、サーバユニット３２全体を冷却し、前面カバーの通気孔から機器ケース６１の外側に排出される。
【００２３】
また、上記実施形態では、サーバユニットが４台の場合を例示したが、２台、５台、８台、あるいは１６台など、サーバ装置２の仕様に応じて適宜変更することが可能である。但し、サーバユニットが１６台の場合は、サーバ装置２の縦方向の寸法をコンパクトにするために８台を横２列に並べて配置し、ファンを機器ケースの側面縦方向に３台ずつ、計６台配置するというように、最低限の冷却能力を確保するため、サーバユニットの追加に伴ってファンの個数を増やす必要がある。
【００２４】
上記実施形態では、電子機器としてサーバ装置を挙げて説明したが、例えばストレージ、ルータ、アンプ、電源、測定器、および通信器などを引出しに搭載した電子機器に対しても、本発明を適用することが可能である。
【００２５】
【発明の効果】
以上のように、本発明の電子機器によれば、機器ケースの外側から内側へ冷却風を送風するファンを機器ケースに取り付けるとともに、ファンからの冷却風が各引出しの回路ユニットに供給されるように、引出しの底板を囲む部分のうち、少なくともファンに対面する部分に切欠きを設けたので、ファンの冷却性能を高め、かつ騒音を極力抑えることができる。また、装置コストの削減に寄与することができる。
【図面の簡単な説明】
【図１】本発明を適用したサーバ装置の正面概観斜視図である。
【図２】機器ケースの正面図である。
【図３】サーバ装置の背面概観概観斜視図である。
【図４】サーバユニットの構成を示す概観斜視図である。
【図５】サーバユニットの別の実施形態を示す図である。
【図６】サーバ装置の別の実施形態を示す図である。
【符号の説明】
２、６０  サーバ装置
１０、６１  機器ケース
１０ａ  前面
１０ｂ  背面
１０ｃ、１０ｄ  開口
１１ａ〜１１ｄ、５０、６２ａ〜６２ｄ  引出し
１４  ハブ
１５  レール
１７  取り付け板
２０、６３  ファン
３２  サーバユニット
３３  側板
３４  後板
３５  底板
３９  前板
４０  切欠き
６１ｅ  側面
【図１】
2005005349.tif 000003
【図２】
2005005349.tif 000004
【図３】
2005005349.tif 000005
【図４】
2005005349.tif 000006
【図５】
2005005349.tif 000007
【図６】
2005005349.tif 000008